(57)【要約】【課題】  原稿の読取条件の設定を容易にすること。【解決手段】  ＭＦＰは、与えられた読取条件に従って、原稿を読取り画像データを出力するスキャナと、画像データを記憶する記憶部と、電子メールを送受信する電子メール送受信部と、スキャナ、記憶部および電子メール送受信部を制御する制御部とを備え、制御部は、読取条件と送信先アドレスとを設定する設定部（ステップＳ４３、Ｓ４２）と、スキャナの最大能力の読取条件をスキャナに与えてスキャナに基準画像データを出力させ、基準画像データを記憶部に記憶させる読取指示部（ステップＳ４４Ａ）と、設定部により設定された読取条件に従って、スキャナが出力した基準画像データを画像変換して画像データを出力する画像変換部（ステップＳ４４Ｂ）と、設定部により設定された読取条件を本文とし（ステップＳ４５）、画像データを添付ファイルとし（ステップＳ４６）、設定部により設定された送信先アドレスを送信先とする（ステップＳ４７）電子メールを生成して送信する（Ｓ４８）。【選択図】        図１１
2005286564.tif 000002
【特許請求の範囲】
【請求項１】
与えられた読取条件に従って、原稿を読取り画像データを出力する読取手段と、
画像データを記憶する記憶手段と、
電子メールを送受信する電子メール送受信手段と、
前記読取手段、前記記憶手段および前記電子メール送受信手段を制御する制御手段とを備え、
前記制御手段は、読取条件と送信先アドレスとを設定する設定手段と、
前記読取手段の最大能力の読取条件を前記読取手段に与えて前記読取手段に基準画像データを出力させ、前記基準画像データを前記記憶手段に記憶させる読取指示手段と、
前記設定手段により設定された読取条件に従って、前記読取手段が出力した基準画像データを画像変換して第１の画像データを出力する変換手段と、
前記設定手段により設定された読取条件を本文とし、前記第１の画像データを添付ファイルとし、前記設定手段により設定された送信先アドレスを送信先とする電子メールを生成して前記電子メール送受信手段に出力する電子メール生成手段とを含む、画像読取装置。
【請求項２】
前記制御手段は、前記受信された電子メールを解析して読取条件を抽出する電子メール解析手段をさらに含み、
前記変換手段は、前記電子メール送受信手段が送信した電子メールに対応する返信メールが受信された場合、前記電子メール解析手段により前記返信メールから抽出された読取条件に従って、前記記憶手段に記憶された基準画像データを画像変換して第２の画像データを出力し、
前記電子メール生成手段は、さらに、前記電子メール解析手段により前記返信メールから抽出された読取条件を本文とし、前記第２の画像データを添付ファイルとし、前記返信メールから定まる送信先アドレスを送信先とする第２の電子メールを生成して前記電子メール送受信手段に出力する、請求項１に記載の画像読取装置。
【請求項３】
ユーザによる指示の入力を受付けるユーザインターフェース手段をさらに備え、
前記設定手段は、前記ユーザインターフェース手段により入力された読取条件および送信先アドレスを設定する、請求項１に記載の画像読取装置。
【請求項４】
前記制御手段は、前記電子メール送受信手段により受信された電子メールを解析して読取条件および送信先アドレスを抽出する電子メール解析手段をさらに含み、
前記設定手段は、前記電子メールから抽出された読取条件および送信先アドレスを設定する、請求項１に記載の画像読取装置。
【請求項５】
与えられた読取条件に従って、原稿を読取り画像データを出力する読取手段と、画像データを記憶する記憶手段と、電子メールを送受信する電子メール送受信手段とを備えた画像読取装置で実行される制御プログラムであって、
読取条件と送信先アドレスとを設定するステップと、
前記読取手段の最大能力の読取条件を前記読取手段に与えて前記読取手段に基準画像データを出力させるステップと、
前記基準画像データを前記記憶手段に記憶させるステップと、
前記設定された読取条件に従って、前記読取手段が出力した基準画像データを画像変換して第１の画像データを出力するステップと、
前記設定された読取条件を本文とし、前記第１の画像データを添付ファイルとし、前記設定手段により設定された送信先アドレスを送信先とする第１の電子メールを生成するステップと、
前記電子メール送受信手段に、前記第１の電子メールを送信させるステップとを画像読取装置に実行させる、制御プログラム。
【請求項６】
与えられた読取条件に従って、原稿を読取り画像データを出力する読取手段と、画像データを記憶する記憶手段と、電子メールを送受信する電子メール送受信手段とを備えた画像読取装置で実行される制御方法であって、
読取条件と送信先アドレスとを設定するステップと、
前記読取手段の最大能力の読取条件を前記読取手段に与えて前記読取手段に基準画像データを出力させるステップと、
前記基準画像データを前記記憶手段に記憶させるステップと、
前記設定された読取条件に従って、前記読取手段が出力した基準画像データを画像変換して第１の画像データを出力するステップと、
前記設定された読取条件を本文とし、前記第１の画像データを添付ファイルとし、前記設定手段により設定された送信先アドレスを送信先とする第１の電子メールを生成するステップと、
前記電子メール送受信手段に、前記第１の電子メールを送信させるステップとを画像読取装置に実行させる、制御方法。
【発明の詳細な説明】
【技術分野】
【０００１】
この発明は、画像読取装置、それを制御するための制御プログラムおよび制御方法に関し、特に、原稿を読取り画像データを出力する画像読取装置、それを制御するための制御プログラムおよび制御方法に関する。
【背景技術】
【０００２】
原稿を光学的に読取り画像データを出力するスキャナが知られている。このスキャナは、解像度、読取濃度、読取サイズなどの読取条件を変更することが可能となっている。この読取条件は、ユーザによって、または、読取る原稿によって異なるため、原稿を読取るごとに設定しなければならない。通常は、ユーザがスキャナに原稿を読取らせる前に、スキャナが有する操作ボタンを操作することにより読取条件が設定される。
【０００３】
しかしながら、ユーザがスキャナの操作ボタンから読取条件を直接入力する場合には、その間そのユーザがスキャナを占有してしまうことになる。読取条件を設定している間は、読取動作を実行できないために、スキャナの稼働率が低下する。
【０００４】
また、プリントシステムではあるが、遠隔操作で印字条件を設定する技術が特開平１０−２０７６７０号公報に記載されている。特開平１０−２０７６７０号公報には、ネットワークを介して電子メールを送信する電子メール送信手段を備えた電子メール端末、及びネットワークを介して印字データを受信する印字データ受信手段を備えた印字データ受信端末からなるプリントシステムにおいて、電子メール端末には、印字データ受信端末が解釈できるコマンドを記載した電子メールを作成する電子メール作成手段を備え、印字データ受信端末には、電子メール作成手段によって作成された電子メールを受信する電子メール受信手段と、電子メール受信手段で受信した電子メール内のコマンドを解釈するコマンド解釈手段と、コマンドに基づいて、印字するための条件設定制御を行う制御手段とを備えたプリントシステムが記載されている。
【特許文献１】特開平１０−２０７６７０号公報
【発明の開示】
【発明が解決しようとする課題】
【０００５】
しかしながら、スキャナで読取った画像データは、電子データであるため視覚で画質を判断することができない。このため、印刷装置で印刷するか、またはディスプレイに表示しなければ、画像データが所望の画質であるか否かを判断することができない。スキャナが印刷装置を有していれば、印刷すればその場で画質を評価することができるが、印刷した後に、ユーザが先に設定した読取条件を忘れてしまう場合がある。
【０００６】
さらに、原稿を読取って得られる画像データを見た後に、読取条件を変更したいと望む場合には、変更した読取条件で再度原稿を読取らせなければならない。
【０００７】
この発明の他の目的は、原稿の読取条件を容易に設定することが可能な画像読取装置、それにより実行される制御プログラムおよび制御方法を提供することである。
【課題を解決するための手段】
【０００８】
上述した目的を達成するためにこの発明のある局面によれば、画像読取装置は、与えられた読取条件に従って、原稿を読取り画像データを出力する読取手段と、画像データを記憶する記憶手段と、電子メールを送受信する電子メール送受信手段と、読取手段、記憶手段および電子メール送受信手段を制御する制御手段とを備え、制御手段は、読取条件と送信先アドレスとを設定する設定手段と、読取手段の最大能力の読取条件を読取手段に与えて読取手段に基準画像データを出力させ、基準画像データを記憶手段に記憶させる読取指示手段と、設定手段により設定された読取条件に従って、読取手段が出力した基準画像データを画像変換して第１の画像データを出力する変換手段と、設定手段により設定された読取条件を本文とし、第１の画像データを添付ファイルとし、設定手段により設定された送信先アドレスを送信先とする電子メールを生成して電子メール送受信手段に出力する電子メール生成手段とを含む。
【０００９】
この発明に従えば、読取条件と送信先アドレスとが設定されると、読取手段の最大能力の読取条件で原稿が読取られて基準画像データが記憶される。そして、設定された読取条件に従って基準画像データを画像変換した第１の画像データが出力される。さらに、読取条件を本文とし、第１の画像データを添付ファイルとし、設定された送信先アドレスを送信先とする電子メールが送信される。画像データと読取条件とが外部の装置に電子メールで送信されるので、外部の装置のユーザは、読取った画像データを見て、読取条件を評価することができる。その結果、読取条件を容易に設定することが可能な画像読取装置を提供することができる。
【００１０】
好ましくは、制御手段は、受信された電子メールを解析して読取条件を抽出する電子メール解析手段をさらに含み、変換手段は、電子メール送受信手段が送信した電子メールに対応する返信メールが受信された場合、電子メール解析手段により返信メールから抽出された読取条件に従って、記憶手段に記憶された基準画像データを画像変換して第２の画像データを出力し、電子メール生成手段は、さらに、電子メール解析手段により返信メールから抽出された読取条件を本文とし、第２の画像データを添付ファイルとし、返信メールから定まる送信先アドレスを送信先とする第２の電子メールを生成して電子メール送受信手段に出力する。
【００１１】
この発明に従えば、送信した電子メールに対応する返信メールが受信された場合、返信メールから読取条件が抽出され、抽出された読取条件に従って、基準画像データを画像変換して第２の画像データが出力される。このため、ユーザは読取条件を変更した後に再度同じ原稿を読取らせる必要がない。そして、返信メールから抽出された読取条件を本文とし、第２の画像データを添付ファイルとし、送信先を返信メールから定まる送信先アドレスを送信先とする第２の電子メールが送信される。このため、同じ原稿を再度読取ることなく先とは異なる読取条件で読取った画像データを出力することができる。その結果、所望する画質の画像データを得るための読取条件を容易に設定することができる。
【００１２】
好ましくは、ユーザによる指示の入力を受付けるユーザインターフェース手段をさらに備え、設定手段は、ユーザインターフェース手段により入力された読取条件および送信先アドレスを設定する。
【００１３】
好ましくは、制御手段は、電子メール送受信手段により受信された電子メールを解析して読取条件および送信先アドレスを抽出する電子メール解析手段をさらに含み、設定手段は、電子メールから抽出された読取条件および送信先アドレスを設定する。
【００１４】
この発明の他の局面によれば、与えられた読取条件に従って、原稿を読取り画像データを出力する読取手段と、画像データを記憶する記憶手段と、電子メールを送受信する電子メール送受信手段とを備えた画像読取装置で実行される制御プログラムは、読取条件と送信先アドレスとを設定するステップと、読取手段の最大能力の読取条件を読取手段に与えて読取手段に基準画像データを出力させるステップと、基準画像データを記憶手段に記憶させるステップと、設定された読取条件に従って、読取手段が出力した基準画像データを画像変換して第１の画像データを出力するステップと、設定された読取条件を本文とし、第１の画像データを添付ファイルとし、設定手段により設定された送信先アドレスを送信先とする第１の電子メールを生成するステップと、電子メール送受信手段に、第１の電子メールを送信させるステップとを画像読取装置に実行させる。
【００１５】
この発明に従えば、原稿の読取条件を容易に設定することが可能な制御プログラムを提供することができる。
【００１６】
この発明にさらに他の局面によれば、与えられた読取条件に従って、原稿を読取り画像データを出力する読取手段と、画像データを記憶する記憶手段と、電子メールを送受信する電子メール送受信手段とを備えた画像読取装置で実行される制御方法であって、読取条件と送信先アドレスとを設定するステップと、読取手段の最大能力の読取条件を読取手段に与えて読取手段に基準画像データを出力させるステップと、基準画像データを記憶手段に記憶させるステップと、設定された読取条件に従って、読取手段が出力した基準画像データを画像変換して第１の画像データを出力するステップと、設定された読取条件を本文とし、第１の画像データを添付ファイルとし、設定手段により設定された送信先アドレスを送信先とする第１の電子メールを生成するステップと、電子メール送受信手段に、第１の電子メールを送信させるステップとを画像読取装置に実行させる。
【００１７】
この発明に従えば、原稿の読取条件を容易に設定することが可能な制御方法を提供することができる。
【発明を実施するための最良の形態】
【００１８】
以下、図面を参照しつつ本発明の実施の形態について説明する。以下の説明では、同一の部品には同一の符号を付してある。それらの名称および機能も同じである。したがってそれらについての詳細な説明は繰返さない。
【００１９】
図１は、本発明の実施の形態の１つにおける画像読取システムの全体概要を示す図である。図１を参照して、画像読取システム１０は、ネットワーク３にそれぞれ接続された複合機１（以下、「ＭＦＰ１」という）と、メールサーバ２と、ユーザ用コンピュータ４とを含む。ユーザ用コンピュータ４は、一般的なパーソナルコンピュータである。図では、ＭＦＰ１と、メールサーバ２と、ユーザ用コンピュータ４とを、それぞれ１台を例に説明するが、それらは複数あってもよい。
【００２０】
ＭＦＰ（Multi Function Peripheral）１は、原稿を読取るためのスキャナ、画像データに基づいて紙などの記録媒体に画像を形成するための画像形成装置、ファクシミリを含み、画像読取機能、複写機能、ファクシミリ送受信機能、データをプリントするプリント機能を備えている。また、ＭＦＰ１には、着脱可能なフラッシュＲＯＭ６が装着される。このフラッシュＲＯＭ６に記憶された制御プログラムが、ＭＦＰ１が備える中央演算装置（ＣＰＵ）で実行される。なお、制御プログラムを、フラッシュＲＯＭ６から読み出すのに代えて、ＥＥＰＲＯＭ（electrically erasable/programable read only memory）に記憶するようにしてもよい。ＭＦＰ１は、ＥＥＰＲＯＭに記憶されたプログラムをＣＰＵで実行する。またこのＥＥＰＲＯＭは、記憶内容を書き換えるまたは追加して書き込みすることが可能なので、ネットワーク３に接続された他のコンピュータが、ＭＦＰ１のＥＥＰＲＯＭに記憶された画像処理プログラムを書換えたり、新たな画像処理プログラムを追加して書き込みをするようにしてもよい。さらに、ＭＦＰ１が、ネットワーク３に接続された他のコンピュータから制御プログラムをダウンロードして、その制御プログラムをＥＥＰＲＯＭに記憶するようにしてもよい。
【００２１】
メールサーバ２は、一般的なパーソナルコンピュータである。そのハード構成は周知であるので、ここでは説明を繰返さない。メールサーバ２は、ユーザ用コンピュータ４または、ＭＦＰ１から電子メールを受信して記憶する。また、ユーザ用コンピュータ４または、ＭＦＰ１から電子メールのダウンロードの要求があると、該当する電子メールをユーザ用コンピュータ４または、ＭＦＰ１に送信する。このような、メールサーバは周知なものを用いることができる。
【００２２】
ネットワーク３は、ローカルエリアネットワーク（ＬＡＮ）、インターネットまたは一般公衆回線であり、有線または無線を問わない。また、ここではネットワーク３でＭＦＰ１とメールサーバ２とが接続される例を示すが、ＭＦＰ１とメールサーバ２とユーザ用コンピュータ４とをシリアル回線またはパラレル回線を用いて接続するようにしてもよい。
【００２３】
なお、ＭＦＰ１で実行される制御プログラムはフラッシュＲＯＭ６に記憶されて流通する例を示すが、他の記録媒体、たとえば、フレキシブルディスク、カセットテープ、ＣＤ−ＲＯＭ、ハードディスク、光ディスク（ＭＯ（Magnetic Optical Disc）／ＭＤ（Mini Disc）／ＤＶＤ（Digital Versatile Disc））、ＩＣカード（メモリカードを含む）、光カード、マスクＲＯＭ、ＥＰＲＯＭ、ＥＥＰＲＯＭ、フラッシュＲＯＭなどの半導体メモリ等の固定的にプログラムを担持する媒体でもよい。
【００２４】
また、ここでいうプログラムは、ＣＰＵにより直接実行可能なプログラムだけでなく、ソースプログラム形式のプログラム、圧縮処理されたプログラム、暗号化されたプログラム等を含む。
【００２５】
本実施の形態における画像読取システム１０では、ＭＦＰ１で原稿を読取る読取条件を、ユーザ用コンピュータ４から遠隔操作で設定する。この設定には、電子メールが用いられる。ユーザ用コンピュータ４は、読取条件を含む宛先をＭＦＰ１とする電子メールを送信する。電子メールは、メールサーバを経由してＭＦＰ１で受信される。ＭＦＰ１では、受信した電子メールから読取条件を抽出する。ＭＦＰ１は、この段階では読取条件を設定するのではなく、ワンタッチキーに読取条件を割当てる。ユーザは、後に原稿を持ってＭＦＰ１の設置場所に移動し、そこでＭＦＰ１に原稿をセットしてワンタッチキーを押下すると、先にワンタッチキーに割当てられた読取条件が読み出される。
【００２６】
なお、本実施の形態においては、ＭＦＰ１を例に説明するが、少なくとも原稿を読取って画像データを出力するスキャナを有すればよい。
【００２７】
図２は、本実施の形態におけるＭＦＰ１の概略構成を示す機能ブロック図である。図２を参照して、ＭＦＰ１は、ＭＦＰ１の全体を制御するための制御部１０１と、原稿を光学的に読取って画像データを出力するスキャナ１０３と、読取条件と画像データ等を記憶するための記憶部１０５と、ユーザによる操作を受付ける操作パネル１０６と、制御部１０１をネットワーク３に接続するための通信部１０９と、紙などの記録媒体に画像を形成するための画像形成部１１１とを備える。
【００２８】
スキャナ１０３は、ＣＣＤ（Charge Coupled Device）等の光電変換素子を含み、原稿を光学的に読取って、画像データとしての電子データを出力する。スキャナ１０３から出力される画像データは、記憶部１０５に出力される。
【００２９】
操作パネル１０６は、ユーザによる操作の入力を受付けるための入力部１０８と、所定の情報を表示するための表示部１０７とを含む。
【００３０】
記憶部１０５は、ハードディスク等の記憶装置である。また、記憶部１０５に、ランダムアクセスメモリ（ＲＡＭ）等の半導体メモリを用いてもよい。記憶部１０５は、スキャナ１０３で読取られた画像データ、ＭＦＰ１に設定された読取条件、およびユーザの認証データを記憶する。認証データは、ユーザ識別情報、パスワードおよびそのユーザの電子メールアドレスとを関連付けた情報である。
【００３１】
通信部１０９は、ＭＦＰ１をネットワーク３と接続するための通信インターフェイスである。通信部１０９は、メールサーバ２と通信して、電子メールを送受信する。ＭＦＰ１には、予め定められたメールアドレスが割当てられている。通信部１０９は、所定時間間隔でメールサーバにＭＦＰ１に割当てられたメールアドレスを送信先とする電子メールの有無を問い合わせており、存在すればメールサーバ２からそれをダウンロードする。また、ＭＦＰ１は、電子メールをメールサーバ２へ送信する。さらに、ＭＦＰ１は、電子メールを受信すると、その電子メールの発信元を送信先とする電子メール（返信メール）を送信する。
【００３２】
画像形成部１１１は、スキャナ１０３で読取られた画像データ、または、通信部１０９により他のコンピュータから受信された画像データを、用紙に可視化する。
【００３３】
図３は、操作パネル１０６の平面図である。図３を参照して操作パネル１０６には、液晶タッチパネル１５０と、テンキー１５１と、セットされた数値を初期値に戻すためのクリアキー１５２と、割込コピーを実行するための割込キー１５３と、画像読取り開始を指示するためのスタートキー１５４とが設けられている。液晶タッチパネル１５０は、液晶表示装置上に、透明な部材からなるタッチパネルを積載してなる。液晶表示装置は、表示部１０７に相当する。タッチパネル、テンキー１５１、クリアキー１５２、割込キー１５３およびスタートキー１５４が入力部１０８に相当する。液晶表示装置に指示ボタンを表示させ、タッチパネルでそのボタンの指示を検出することで、種々の操作の入力が可能となる。操作パネル１０６は、ＭＦＰ１に設定された読取条件を含む画面、読取条件を設定するための画面等を表示する。
【００３４】
図４は、本実施の形態におけるＭＦＰの制御部の詳細な構成を示す機能ブロック図である。図４を参照して、制御部１０１は、通信部１０９で受信された電子メールを解析する電子メール解析部１２３Ａと、読取条件を記憶部１０５に記憶するための読取条件記憶部１２１と、読取条件および電子メールの送信先を設定するための設定部１２５Ａと、読取条件をスキャナ１０３に出力する読取指示部１２７Ａと、ユーザを認証するためのユーザ認証部１３７と、読取条件をワンタッチキーに関連付ける関連付部１２９と、電子メールを生成するための電子メール生成部１３１Ａと、読取条件を表示するためのワンタッチ情報を生成するワンタッチ情報生成部１３３と、表示部１０７を制御するための表示制御部１３５と、記憶部１０５に記憶された画像データを変更された読取条件に従って変換する画像変換部１３９とを含む。
【００３５】
電子メール解析部１２３Ａは、通信部１０９に接続され、電子メールが入力される。電子メールには、ヘッダ部とボディ部とが含まれる。ヘッダ部には、送信先アドレス、発信元アドレス、サブジェクト、および、必要に応じて返信メールであることを示すメッセージＩＤ等が所定のフォーマットで記述される。ボディ部には、電子メールの本文が含まれる。本実施の形態においては、ユーザ用コンピュータ４から読取条件を設定するための電子メールが送信される。この電子メールのボディ部の本文には、読取条件を設定するための電子メールであることを示す識別情報と、設定する読取条件と、場合により送信先アドレスが所定のフォーマットで記述される。電子メール解析部１２３Ａは、電子メールを解析して、本文の識別情報を検出すると、本文から送信先アドレスと読取条件とを抽出する。電子メール解析部１２３Ａは、抽出した送信先アドレスと読取条件とを設定部１２５Ａに出力する。
【００３６】
また、電子メール解析部１２３Ａは、一度送信した電子メールに対する返信メールが受信された場合には、その返信メールを解析して、送信先と読取条件とを抽出する。そして、返信メールである旨を示す情報、送信先および読取条件を設定部１２５Ａに出力する。
【００３７】
設定部１２５Ａは、操作パネル１０６の入力部１０８と接続される。設定部１２５Ａは、入力部１０８に入力された読取条件と、入力部１０８に送信先アドレスが入力された場合にはその送信先アドレスが入力される。設定部１２５Ａは、また、電子メール解析部１２３から読取条件と、電子メールの本文に送信先アドレスが記述されている場合にはその送信先アドレスが送信先アドレスとして入力される。すなわち、設定部１２５Ａには、操作パネル１０６および電子メール解析部１２３のいずれかから読取条件と、場合によって送信先アドレスとが入力される。設定部１２５Ａは、読取条件を電子メール生成部１３１Ａ、関連付部１２９、読取条件記憶部１２１および読取指示部１２７Ａに出力する。また、設定部１２５Ａは、送信先アドレスが入力された場合には、送信先アドレスを電子メール生成部１３１Ａに出力する。
【００３８】
設定部１２５Ａは、電子メール解析部１２３Ａから返信メールである旨を示す情報が受信されると、読取条件を電子メール生成部１３１Ａ、関連付部１２９、読取条件記憶部１２１および画像変換部１３９に出力する。この場合、読取条件を読取指示部１２７Ａに出力しない。
【００３９】
読取条件記憶部１２１は、設定部１２５Ａから読取条件が入力される。設定部１２５Ａから入力される読取条件は、入力部１０８からユーザにより入力された読取条件、または、電子メールから抽出された読取条件である。読取条件記憶部１２１は、記憶部１０５と接続され、入力された読取条件を記憶部１０５に記憶する。また、読取条件記憶部１２１は、設定部１２５Ａから読取条件に加えて送信先アドレスが入力された場合には、入力された読取条件を送信先アドレスと関連付けて記憶部１０５に記憶する。
【００４０】
ユーザ認証部１３７は、入力部１０８および記憶部１０５と接続される。ユーザ認証部１３７は、ユーザにより入力部１０８から入力されたユーザ識別情報およびパスワードを、記憶部１０５に予め記憶されたユーザ識別情報およびパスワードと比較する。比較の結果、両者が一致すれば真のユーザと判定し、一致しなければ真のユーザとは判定しない。ユーザ認証の結果は、関連付部１２９に出力される。
【００４１】
関連付部１２９は、設定部１２５Ａから読取条件が入力され、ユーザ認証部１３７から認証結果が入力される。関連付部１２９は、入力された読取条件を、入力部１０８のワンタッチキーと関連付ける。ワンタッチキーは、ボタンアドレスが予め定められており、関連付部１２９は、記憶部１０５に既に記憶されている読取条件にボタンアドレスを関連付けて記憶する。ボタンアドレスと読取条件との関連付は、読取条件が記憶部１０５に記憶されているアドレスをワンタッチキーのボタンアドレスに関連付けることを含む。なお、認証結果が真のユーザであることを条件に、関連付部１２９は、入力された読取条件を、入力部１０８のワンタッチキーと関連付けるようにしてもよい。
【００４２】
ワンタッチ情報生成部１３３は、入力部１０８でワンタッチキーの押下が検出されると、そのワンタッチキーのボタンアドレスが入力される。そして、記憶部１０５からボタンアドレスに関連付けて記憶されている読取条件を読み出す。そして、読み出した読取条件を表示するためのワンタッチ情報を生成する。ワンタッチ情報生成部１３３は、生成したワンタッチ情報を表示制御部１３５に出力する。表示制御部１３５は、表示部１０７を制御し、表示部１０７に表示する情報を切換える。表示制御部１３５は、ワンタッチ情報生成部１３３からワンタッチ情報が入力されると、そのワンタッチ情報を表示部１０７に表示するよう表示部１０７を制御する。
【００４３】
読取指示部１２７Ａは、設定部１２５Ａから読取条件が入力されるが、この読取条件をそのままスキャナ１０３に出力するのではなく、スキャナ１０３が有する最大の能力で定まる読取条件をスキャナ１０３に出力する。たとえば、最大の読取解像度、最大の原稿サイズが読取条件となる。この読取条件を基準読取条件という。そして、入力部１０８からの指示に応じて、スキャナ１０３を起動する。これにより、スキャナ１０３は、基準読取条件に従って、原稿を読取って画像データを出力する。入力部１０８からの指示とは、スタートキー１５４の押下である。スキャナ１０３は、基準読取条件に従って原稿を読取って出力する画像データを記憶部１０５に基準画像データとして記憶する。
【００４４】
画像変換部１３９は、設定部１２５Ａから読取条件が入力される。画像変換部１３９は、読取条件が入力されると、記憶部１０５から基準画像データを読み出して、その基準画像データを入力された読取条件に従って画像変換する。この画像変換処理は、たとえば、解像度を低い解像度に変換する処理、原稿サイズを小さいサイズに変換する処理、読取濃度を粗い濃度に変換する処理（たとえば、量子化幅を大きくする処理）である。そして、画像変換した画像データを電子メール生成部１３１Ａに出力する。画像変換部１３９は、設定部１２５Ａから入力される読取条件が、基準読取条件と同一の場合には、画像変換することなく基準画像データをそのまま画像データとして電子メール生成部に出力する。
【００４５】
また、画像変換部１３９は、入力部１０８でワンタッチキーの押下が検出されると、そのワンタッチキーのボタンアドレスが入力される。そして、記憶部１０５からボタンアドレスに関連付けて記憶されている読取条件と、基準画像データとを読み出す。そして、入力部１０８からの指示に応じて、読み出した基準画像データを読み出した読取条件に従って画像変換し、変換した画像データを電子メール生成部１３１Ａに出力する。
【００４６】
電子メール生成部１３１Ａは、画像変換部１３９と接続される。電子メール生成部１３１Ａには、設定部１２５Ａから読取条件および送信先アドレスが入力される。電子メール生成部１３１Ａは、画像変換部１３９から画像データが入力されると、既に設定部１２５Ａから入力された送信先アドレスをヘッダ部に記述し、読取条件を所定のフォーマットに変換してボディ部の本文に記述し、その画像データを添付ファイルとした電子メールを生成する。そして生成した電子メールを通信部１０９に出力する。
【００４７】
通信部１０９は、電子メール生成部１３１Ａから入力される電子メールを、メールサーバ２へ送信する。
【００４８】
図５は、電子メールのボディ部本文のフォーマットの一例を示す図である。ＭＦＰ１が受信する電子メールと、ＭＦＰ１が送信する電子メールのボディ部の本文は、このフォーマットで記述される。このため、電子メール解析部１２３Ａは、このフォーマットに従って、送信先アドレスと読取条件を本文から抽出し、電子メール生成部１３１Ａはこのフォーマットに従って読取条件を記述した本文を生成する。
【００４９】
図５を参照して、読取条件のフォーマットは、読取条件を設定するための電子メールであることを示す識別情報を記述する領域と、設定する読取条件を記述する領域と、送信先アドレスを記述する領域とが含まれる。ここでは、読取条件を設定するための電子メールであることを示す識別情報を＜＜ＭＦＰＳｃａｎＭｏｄｅ＞＞の文字列としている。この識別情報は、ＭＦＰ１が電子メールを受信して実行する処理が複数種類あることに備えて、読取条件を設定するために用いる電子メールであることをＭＦＰ１が検出することができるようにするためである。なお、この識別情報は、電子メールのボディ部に記述するのではなく、ヘッダ部のサブジェクト（Ｓｕｂｊｅｃｔ）に記述するようにしてもよい。
【００５０】
識別情報の次には、読取条件が記述される。読取条件は、複数ある読取条件のうちから１つを特定するために予め定められた文字列とその設定値との組み合わせで記述される。解像度の読取条件に対しては、文字列「Ｒｅｓｏｌｕｔｉｏｎ」と値［６００］が記述されている。原稿サイズに対して、文字列「ＯｒｉｇｉｎａｌＳｉｚｅ」と値［Ａ４］が記述されている。濃度の読取条件に対しては、文字列「ＩｍａｇｅＤｅｎｓｉｔｙ」と値「３」が記述されている。
【００５１】
読取条件の次には、送信先アドレスが記述される。送信先アドレスは、送信先アドレスが記述されることを示す予め定められた文字列「Ｄｅｓｔｉｎａｔｉｏｎ」と値［ｕｓｅｒ＠ａｂｃ．ｃｏ．ｊｐ］が記述されている。なお、この送信先アドレスの記述は任意である。
【００５２】
図６は、ワンタッチ情報の一例を示す図である。図６を参照して、ワンタッチ情報２００は、ワンタッチキー２０１と、状態表示領域２０２と、読取条件表示領域２０３，２０４，２０５と、送信先表示領域２０６とを含む表示画面である。また、図６では、ワンタッチ情報２００の上部に、「アドレス入力」の文字列を含む遷移ボタン２１１と、「マニュアル設定」の文字列を含む遷移ボタン２１２とを含む。遷移ボタン２１１は、電子メールの送信先アドレスを入力するためのアドレス入力画面に切換えるための遷移ボタンである。遷移ボタン２１２は、手作業で読取条件を設定するためのマニュアル設定画面に切換えるための遷移ボタンである。表示部１０７に、アドレス入力画面またはマニュアル設定画面が表示されている場合には、ワンタッチ情報１００の一部であるワンタッチキー２０１が表示部１０７に表示される。アドレス入力画面またはマニュアル設定画面が表示されている状態におけるワンタッチキー２０１は、表示部１０７にワンタッチ情報２００を表示させるための遷移ボタンとなる。
【００５３】
読取条件表示領域２０３は、スキャナ１０３が原稿を読取る際の解像度の読取条件を表示する領域である。読取条件表示領域２０４は、スキャナ１０３が原稿を読取る際の原稿のサイズを表示する領域である。読取条件表示領域２０５は、スキャナ１０３が原稿を読取る際の濃度の読取条件を表示する領域である。
【００５４】
送信先表示領域２０６は、電子メールの送信先の電子メールアドレスを表示するための領域である。送信先表示領域２０６は、複数の電子メールアドレスを表示可能であり、送信先アドレスに設定されている電子メールアドレスが他とは異なる態様で表示される。図６では、設定されている電子メールアドレスが反転表示で示されている。ＭＦＰ１は、記憶部１０５に、予め電子メールアドレスを記憶している。送信先表示領域２０６には、記憶部１０５に記憶された電子メールアドレスが表示される。ワンタッチ情報生成部１３３が記憶部１０５から読取条件を読み出した際に、その読取条件に送信先アドレスが関連付けられている場合には、その送信先アドレスが他とは異なる態様で表示される。
【００５５】
図７は、本実施の形態におけるＭＦＰで実行される電子メール受信処理の流れを示すフローチャートである。図７を参照して、まず、電子メールが受信されたか否かが判断される（ステップＳ０１）。電子メールが受信された場合にはステップＳ０２へ進み、受信されない場合には待機状態となる。すなわち、電子メール受信処理は、電子メールが受信された場合に実行される処理である。ステップＳ０１で受信される電子メールは、読取条件を設定するための電子メールに限らず、返信メール、他の用途の電子メールを含む。
【００５６】
ステップＳ０２では、受信された電子メールが読取条件を設定するためのものか否かが判断される。具体的には、受信された電子メールのボディ部の本文に、読取条件を設定するための電子メールであることを示す識別情報＜＜ＭＦＰＳｃａｎＭｏｄｅ＞＞が含まれるか否かを判断する。真の場合にはステップＳ０３へ進み、偽の場合にはステップＳ０７に進む。ステップＳ０７では、電子メールに対応するその他の処理が実行される。
【００５７】
ステップＳ０３では、受信した電子メールを解析する。上述したフォーマットにしたがって受信した電子メールのボディ部の本文が解析され、読取条件が抽出される。また、送信先アドレスが記述されている場合には、その送信先アドレスが抽出される。
【００５８】
そして、抽出された読取条件が記憶部１０５に記憶される（ステップＳ０４）。送信先アドレスが抽出された場合には、読取条件と送信先アドレスとが関連付けられて記憶される。さらに、次のステップＳ０５では、ワンタッチ情報が生成される。ワンタッチ情報は、たとえば図６に示した読取条件を表示するための画面である。生成されたワンタッチ情報は、記憶部１０５に記憶される。
【００５９】
そして、抽出された読取条件が、入力部１０８のワンタッチキーと関連付けられる。具体的には、ワンタッチキーに予め定められたボタンアドレスが、ステップＳ０４で記憶部１０５に記憶された読取条件と関連付けられて記憶部１０５に記憶される。
【００６０】
電子メール受信処理は、ＭＦＰ１で電子メールが受信されるごとに実行されるため、読取条件を設定するための電子メールが受信されるごとに、読取条件が更新される。なお、ＭＦＰ１は、読取条件を設定するための電子メールを受信するごとに、読取条件を記憶するようにしてもよい。この場合には、記憶された読取条件の数だけワンタッチ情報が生成される。このため、記憶された読取条件の数だけワンタッチキーが必要になる。
【００６１】
＜電子メール受信処理の変形例＞
電子メール受信処理の変形例は、ユーザごとに読取条件を有効にする処理である。図８は、変形された電子メール受信処理の変形例の流れを示す第１のフローチャートである。図８を参照して、電子メール受信処理の変形例は、図７に示した電子メール受信処理と異なる点は、ステップＳ０５とステップＳ０６との間にステップＳ１１が追加された点である。ステップＳ１１では、ステップＳ０１で受信された電子メールの発信アドレスが、ＭＦＰ１に現在ログインしているユーザの電子メールアドレスと一致するか否かが判定される。真の場合にはステップＳ０６に進み、偽の場合はステップＳ０６をスキップして処理を終了する。ここで、ユーザのＭＦＰ１へのログインとは、ユーザがＭＦＰ１の入力部１０８から入力したユーザ識別情報とパスワードとがユーザ認証部１３７で認証されてから、ユーザがＭＦＰ１の入力部１０８からログアウトの指示を入力するまでの状態をいう。本実施の形態におけるＭＦＰ１では、１人のユーザのログインのみを可能としている。したがって、ＭＦＰ１が読取条件を関連付けるワンタッチキーを１つのみしか有しない場合には、ＭＦＰ１はログインしているユーザが設定した読取条件のみをそのワンタッチキーに関連付けることができる。
【００６２】
また、ログインしていないユーザが電子メールを送信した場合には、その電子メールから抽出された読取条件は、ステップＳ０４で記憶部１０５に記憶される。しかしながら、ワンタッチキーには関連付けられていない。この状態でそのユーザが次にＭＦＰ１にログインした場合に、記憶部１０５に記憶された読取条件をワンタッチキーに関連付ける処理が実行される。
【００６３】
図９は、ユーザがＭＦＰにログインする際に実行される処理の流れを示すフローチャートである。図９を参照して、ステップＳ２１では、ユーザ認証が実行される。そのユーザが認証されれば、ユーザはＭＦＰ１へログインすることとなる。そして、ログインしたユーザの読取条件が記憶部１０５に記憶されているか否かが判断される（ステップＳ２２）。記憶されている場合にはステップＳ２３に進み、そうでない場合にはステップＳ２３をスキップして処理を終了する。図８のステップＳ０４では、電子メールから抽出された読取条件を送信先アドレスと関連付けて記憶していた。ステップＳ２３では、ログインユーザの電子メールアドレスが記憶部１０５に記憶された認証データから読み出され、その電子メールアドレスと関連付けられて記憶部１０５に記憶されている読取条件が抽出される。ステップＳ２２では、そのような読取条件が抽出された場合にステップＳ２３に進み、抽出されない場合に処理を終了する。
【００６４】
ステップＳ２３では、ステップＳ２２で読み出された読取条件をワンタッチキーに関連付ける。この処理は、図８のステップＳ０６と同様の処理である。
【００６５】
ログイン処理では、ユーザがＭＦＰ１にログインしていない場合であっても、読取条件を設定するための電子メールをユーザ用コンピュータ４からＭＦＰ１に送信した後に、原稿を持ってＭＦＰ１の設置場所まで移動し、ＭＦＰ１にログインすれば、ワンタッチキーに読取条件が関連付けられる。このため、ユーザはワンタッチキーを指示するだけで、予め定めた読取条件で原稿を読取ることができる。
【００６６】
図１０は、本実施の形態におけるＭＦＰで実行される読取処理の流れを示すフローチャートである。図１０を参照して、ＭＦＰ１は、操作パネル１０６の表示部１０７にマニュアル設定画面を表示する（ステップＳ３１）。ＭＦＰ１は、電源投入直後にはマニュアル設定画面を表示部１０７に表示する。マニュアル設定画面は、読取条件をユーザが指定するための画面である。読取条件は、読取解像度、原稿のサイズ、読取濃度を含む。ＭＦＰ１に電源が投入された直後、または、クリアキー１５２が押下されると、読取条件として予め定められた初期値を表示するマニュアル設定画面が表示部１０７に表示される。表示部１０７にはマニュアル設定画面とワンタッチキー２０１が表示される。
【００６７】
次のステップＳ３２では、ワンタッチキー２０１が押下されたか否かが判断される。ワンタッチキーが押下された場合にはステップＳ３３に進み、そうでない場合にはステップＳ３５に進む。ステップＳ３５では、ユーザによる読取条件の設定が受付けられる。上述したように、表示部１０７にはマニュアル設定画面が表示されているため、ユーザはこのマニュアル設定画面に従って、そこに表示されている初期値を変更することにより、読取条件を設定する。
【００６８】
ステップＳ３３では、ＭＦＰ１はワンタッチ情報を表示する。ここでは、図６に示したワンタッチキーに関連付けられた読取条件を表示する画面が表示部１０７に表示される。そして、ワンタッチ−に対応する読取条件が設定される（ステップＳ３４）。記憶部１０５は、ワンタッチキーに予め割当てられたボタンアドレスと、読取条件とが関連付けられて記憶されていた。ＭＦＰ１は、入力部１０８でワンタッチキー２０１の押下を検出すると、そのボタンアドレスから読取条件を記憶部から読み出し、読み出した読取条件を設定する。なお、読取条件が記憶部１０５の予め定められたアドレスに記憶される場合には、ＭＦＰ１は、ワンタッチキーの押下の検出により、そのアドレスに記憶されている読取条件を読み出して設定する。
【００６９】
次に、操作パネル１０６のスタートキー１５４が押下されたか否かが判断される（ステップＳ３６）。押下された場合にはステップＳ３７Ａに進み、そうでない場合には待機状態となる。即ち、スタートキー１５４が押下されるまで、ステップＳ３５におけるユーザによる読取条件の設定が可能である。また、ワンタッチ情報を見たユーザが、読取条件を変更することができるようにしてもよい。
【００７０】
ステップＳ３７Ａでは、スキャナ１０３の最大の能力で定まる読取条件に従って、原稿が読取られる。具体的には、読取指示部１２７が、スキャナ１０３の最大の能力で定まる読取条件をスキャナ１０３に出力し、スキャナ１０３を起動する。これにより、スキャナ１０３は、最大の能力で定まる読取条件に従って、原稿を読取り、基準画像データを記憶部１０５に記憶する。スキャナ１０３の最大の能力で定まる読取条件は、予め記憶部１０５などに記憶しておくようにすればよい。
【００７１】
次のステップＳ３８Ａでは、ステップＳ３４またはステップＳ３５で設定された読取り条件に従って、記憶部１０５に記憶された基準画像データを画像変換する。
【００７２】
読取処理では、原稿を読取って基準画像データが記憶され、読取条件に従って画像変換された画像データが取得される。この画像データは、たとえば、画像形成部１１１に出力されてプリントされる場合、記憶部１０５に記憶される場合、通信部１０９に出力されて他の装置に送信される場合とがある。ここでは、画像データを他の装置に送信する読取送信処理について説明する。
【００７３】
図１１は、本実施の形態におけるＭＦＰで実行される読取送信処理の流れを示すフローチャートである。図１１を参照して、通信部１０９で電子メールを受信したか否かが判断される（ステップＳ４１）。電子メールが受信された場合にはステップＳ４３に進み、そうでない場合にはステップＳ４２へ進む。ステップＳ４２では、図１０を用いて説明した読取処理が実行され、原稿を読取った後ステップＳ４５に進む。
【００７４】
一方ステップＳ４３では、図７を用いて説明した電子メール受信処理が実行される（ステップＳ４３）。そして、スキャナ１０３の最大の能力で定まる読取条件に従って、原稿が読取られる（ステップＳ４４Ａ）。これにより、基準画像データが記憶部１０５に記憶される。次のステップＳ４４Ｂでは、基準画像データが電子メールから抽出された読取条件に従って画像変換される。
【００７５】
ステップＳ４５では、電子メールの本文が作成される。本文の作成は、読取条件を図５に示したフォーマットで記述することである。電子メールが受信された場合には、ステップＳ４３で実行される電子メール受信処理でその電子メールの本文から抽出された読取条件である。また、電子メールが受信されなかった場合には、ステップＳ４２で実行される読取処理において設定される読取条件、すなわち、ユーザによるワンタッチキーの押下があった場合にはそのワンタッチキーに関連付けられた読取条件であり、ワンタッチキーの押下がなかった場合にはマニュアル設定画面に入力された読取条件である。
【００７６】
そして、原稿を読取って得られた画像データを電子メールの添付ファイルに設定する（ステップＳ４６）。さらに、電子メールのヘッダ部の送信先に、送信先アドレスを設定する（ステップＳ４７）。送信先アドレスは、電子メールが受信された場合には、ステップＳ４３で実行される電子メール受信処理でその電子メールの本文から抽出された送信先アドレスである。また、電子メールが受信されなかった場合には、ステップＳ４２で実行される読取処理において設定される送信先アドレス、すなわち、ユーザによるワンタッチキーの押下があった場合にはそのワンタッチキーに関連付けられた送信先アドレスであり、ワンタッチキーの押下がなかった場合にはマニュアル設定画面に入力された送信先アドレスである。
【００７７】
次のステップＳ４８では、生成された電子メールが通信部１０９からメールサーバ２へ送信される。設定する送信先アドレスを、ユーザに予め割当てられた電子メールアドレスとすれば、ユーザはユーザ用コンピュータ４にその電子メールをメールサーバ２からダウンロードさせることができる。このため、ユーザはユーザ用コンピュータ４のディスプレイに、読取条件と画像データとを表示させることができる。このため、読取った画像データを見て、読取条件を評価することができる。より画像データの画質を向上させたいと望む場合、逆に、画像データの画質を低下させてデータ量を少なくすることを望む場合等には、それらに対応する読取条件を記述した返信用の電子メール（返信メール）を作成してＭＦＰ１宛てに送信すれば、変更後の読取条件で読取った画像データを受信することができる。
【００７８】
ステップＳ４９では、ステップＳ４８で送信した電子メールに対応する返信メールを受信したか否かが判断される。返信メールを受信した場合には、ステップＳ５０Ａに進み、そうでない場合には処理を終了する。返信メールの判定は、受信した電子メールのヘッダ部の”ｉｎ−Ｒｅｐｌｙ−ｔｏ：”に記述されたメッセージＩＤから判断される。
【００７９】
ステップＳ５０Ａでは、図７を用いて説明した電子メール受信処理を実行する。返信メールを受信する場合、処理の対象となる原稿に対応する基準画像データが記憶部１０５に記憶されている。このため、次のステップＳ５１Ａでは、その基準画像データを記憶部１０５から読出して、受信した返信メールから抽出された読取条件に従って画像変換する。そして、ステップＳ４５に戻る。ステップＳ４５〜ステップＳ４８では、返信メールに対応する電子メールが新たに生成されて、電子メールが送信される。この電子メールの送信先は、返信メールの本文に記述された送信先アドレスとしてもよいし、返信メールの発信元の電子メールアドレスとしてもよい。
【００８０】
ユーザはユーザ用コンピュータ４のディスプレイに、変更後の読取条件と画像データとを表示させることができる。この際、ＭＦＰ１では、基準画像データを記憶部１０５に記憶しているので、ユーザは改めて原稿をＭＦＰ１に読み込ませる必要がない。また、ユーザは、読取った画像データを見て、読取条件を再度評価することができる。より画像データの画質を向上させたいと望む場合、逆に、画像データの画質を低下させてデータ量を少なくすることを望む場合等には、それらに対応する読取条件を記述した返信用の電子メール（返信メール）を再度作成してＭＦＰ１宛てに送信すれば、変更後の読取条件で変換された画像データを再度受信することができる。
【００８１】
以上説明したように本実施の形態におけるＭＦＰ１は、読取条件と送信先とが設定されると、読取手段の最大能力の読取条件で原稿を読取って基準画像データを記憶する。そして、設定された読取条件に従って基準画像データを画像変換して読取条件とともに電子メールで送信する。このため、電子メールを受信したユーザは、画像データを見て読取条件を評価することができるので、原稿の読取条件を容易に決定することができる。
【００８２】
また、ＭＦＰ１は、送信した電子メールに対応する返信メールが受信された場合、返信メールから抽出した読取条件に従って、基準画像データを画像変換して、電子メールで送信する。このため、ユーザは、原稿を再度ＭＦＰ１に読取らせる必要はない。
【００８３】
なお、本実施の形態においては、ＭＦＰ１について説明したが、ＭＦＰ１で実行される制御プログラム、または、ＭＦＰ１で実行される制御方法として発明を捉えることができる。
【００８４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８５】
【図１】本発明の実施の形態の１つにおける画像読取システムの全体概要を示す図である。
【図２】本実施の形態におけるＭＦＰの概略構成を示す機能ブロック図である。
【図３】操作パネルの平面図である。
【図４】本実施の形態におけるＭＦＰの制御部の詳細な構成を示す機能ブロック図である。
【図５】電子メールのボディ部本文のフォーマットの一例を示す図である。
【図６】ワンタッチ情報表示画面の一例を示す図である。
【図７】本実施の形態におけるＭＦＰで実行される電子メール受信処理の流れを示すフローチャートである。
【図８】変形された電子メール受信処理の変形例の流れを示す第１のフローチャートである。
【図９】ユーザがＭＦＰにログインする際に実行される処理の流れを示すフローチャートである。
【図１０】本実施の形態におけるＭＦＰで実行される読取処理の流れを示すフローチャートである。
【図１１】本実施の形態におけるＭＦＰで実行される読取送信処理の流れを示すフローチャートである。
【符号の説明】
【００８６】
１  ＭＦＰ、２  メールサーバ、３  ネットワーク、、４  ユーザ用コンピュータ、１０  画像読取システム、１０１  制御部、１０３  スキャナ、１０５  記憶部、１０６  操作パネル、１０７  表示部、１０８  入力部、１０９  通信部、１１１  画像形成部、１２１  読取条件記憶部、１２３Ａ  電子メール解析部、１２５Ａ  設定部、１２７  読取指示部Ａ、１２９  関連付部、１３１Ａ  電子メール生成部、１３３  ワンタッチ情報生成部、１３５  表示制御部、１３７  ユーザ認証部、１３７  入力部、１３９  画像変換部、１５４  スタートキー、２００  ワンタッチ情報、２０１  ワンタッチキー。
【図１】
2005286564.tif 000003
【図２】
2005286564.tif 000004
【図３】
2005286564.tif 000005
【図４】
2005286564.tif 000006
【図５】
2005286564.tif 000007
【図６】
2005286564.tif 000008
【図７】
2005286564.tif 000009
【図８】
2005286564.tif 000010
【図９】
2005286564.tif 000011
【図１０】
2005286564.tif 000012
【図１１】
2005286564.tif 000013